(57)【要約】【課題】  画像データを扱う電子機器であって表示装置を持たない機器に、簡単に表示機能を提供する低コストで小型な液晶表示装置を提供すること。【解決手段】  コントローラ回路９が、外部インターフェース５を介して外部装置から画像ファイルを受付けて第一の記憶手段４にただ一つのみ記憶すると共に、第一の記憶手段４に記憶されたただ一つの画像ファイルを読み出してドライバ回路６に入力し、かつ、ドライバ回路６が、前記コントローラ回路９から入力された画像ファイルのデータに基づいて液晶ディスプレイ７に画像を表示することを特徴とした液晶表示装置。【選択図】  図１
2006065154.tif 000002
【特許請求の範囲】
【請求項１】
画像データを表示する液晶ディスプレイと、該液晶ディスプレイを駆動するドライバ回路と、前記液晶ディスプレイに表示する画像ファイルを記憶する第一の記憶手段と、外部装置が前記第一の記憶手段にアクセスすることを可能とする外部インターフェースと、コントローラ回路と、を少なくとも備えた液晶表示装置であって、
前記コントローラ回路が、外部インターフェースを介して外部装置から画像ファイルを受付けて前記第一の記憶手段にただ一つのみ記憶すると共に、前記第一の記憶手段に記憶されたただ一つの画像ファイルを読み出して前記ドライバ回路に入力し、かつ、
前記ドライバ回路が、前記コントローラ回路から入力された画像ファイルのデータに基づいて液晶ディスプレイに画像を表示することを特徴とした液晶表示装置。
【請求項２】
前記外部インターフェースが、前記記憶手段にアクセス可能な外部装置を特定しない汎用インターフェースであることを特徴とした請求項１記載の液晶表示装置。
【請求項３】
前記汎用インターフェースが、ユニバーサル・シリアル・バス（USB）であることを特徴とした請求項２記載の液晶表示装置。
【請求項４】
前記コントローラ回路は、前記第一の記憶手段に記憶する又は記憶した画像ファイルのファイル名を固定値に設定することを特徴とした請求項１記載の液晶表示装置。
【請求項５】
前記液晶ディスプレイ、前記ドライバ回路、前記第一の記憶手段、前記外部インターフェース、及び前記コントローラ回路に電源を供給する電池を備えたことを特徴とした請求項１記載の液晶表示装置。
【請求項６】
画像データを表示する液晶ディスプレイと、該液晶ディスプレイを駆動するドライバ回路と、コントローラ回路と、前記液晶ディスプレイに表示する画像ファイルを記憶する第一の記憶手段と、第二の記憶手段と、外部装置が前記第一の記憶手段及び前記第二の記憶手段にアクセスすることを可能とする外部インターフェースと、を少なくとも備えた液晶表示装置であって、
前記第二の記憶手段に、前記コントローラ回路の動作内容を識別する動作識別情報を格納した設定情報ファイルを予め記憶すると共に、
前記コントローラ回路が、
ａ）外部インターフェースを介して外部装置から前記設定情報ファイルを受付けて前記第二の記憶手段に記憶する、又は外部インターフェースを介して外部装置に前記設定情報ファイルを書き換えさせるステップと、
ｂ）前記第二の記憶手段に記憶された設定情報ファイルを参照し、動作識別情報を読み出すステップと、
ｃ）当該読み出した動作識別情報に基づいて、前記液晶ディスプレイ、前記ドライバ回路、前記第一の記憶手段、前記第二の記憶手段、又は、前記外部インターフェースのハードウェア制御を行うステップと、
ｄ）前記読み出した動作識別情報に基づいて、外部インターフェースを介して外部装置から画像ファイルを受付けて前記第一の記憶手段にただ一つのみ記憶するステップと、
ｅ）前記読み出した動作識別情報に基づいて、前記第一の記憶手段に記憶されたただ一つの画像ファイルを読み出して前記ドライバ回路に入力するステップと、
を実行し、かつ、
前記ドライバ回路が、前記コントローラ回路から入力された画像ファイルのデータに基づいて液晶ディスプレイに画像を表示することを特徴とした液晶表示装置。
【請求項７】
前記第一の記憶手段と、前記第二の記憶手段とが同一であることを特徴とした請求項６記載の液晶表示装置。
【請求項８】
画像データを表示する液晶ディスプレイと、該液晶ディスプレイを駆動するドライバ回路と、コントローラ回路と、前記液晶ディスプレイに表示する画像ファイルを記憶する第一の記憶手段と、液晶表示装置に着脱可能な第二の記憶手段と、外部装置が前記第一の記憶手段にアクセスすることを可能とする外部インターフェースと、を少なくとも備えた液晶表示装置であって、
前記第二の記憶手段に、前記コントローラ回路の動作内容を識別する動作識別情報を格納した設定情報ファイルを予め記憶すると共に、
前記コントローラ回路が、
ａ）前記第二の記憶手段に記憶された設定情報ファイルを参照し、動作識別情報を読み出すステップと、
ｂ）当該読み出した動作識別情報に基づいて、前記液晶ディスプレイ、前記ドライバ回路、前記第一の記憶手段、前記第二の記憶手段、又は、前記外部インターフェースのハードウェア制御を行うステップと、
ｃ）前記読み出した動作識別情報に基づいて、外部インターフェースを介して外部装置から画像ファイルを受付けて前記第一の記憶手段にただ一つのみ記憶するステップと、
ｄ）前記読み出した動作識別情報に基づいて、前記第一の記憶手段に記憶されたただ一つの画像ファイルを読み出して前記ドライバ回路に入力するステップと、
を実行し、かつ、
前記ドライバ回路が、前記コントローラ回路から入力された画像ファイルのデータに基づいて液晶ディスプレイに画像を表示することを特徴とした液晶表示装置。
【請求項９】
前記第一の記憶手段と、前記第二の記憶手段とが同一であり、かつ、液晶表示装置に着脱可能であることを特徴とした請求項８記載の液晶表示装置。
【発明の詳細な説明】
【技術分野】
【０００１】
本発明は、デジタル画像ファイルを扱う情報機器の表示装置に関する。
【背景技術】
【０００２】
近年、液晶ディスプレイの進化はめざましく、多くの電子機器の表示装置として液晶ディスプレイが採用されている。これらの液晶ディスプレイは、そのほとんどが当該電子機器専用の表示装置であって、当該電子機器以外で使用することができない場合が多い。一方、当該電子機器以外で使用することができる準汎用的な液晶ディスプレイも存在する。例えば、ＰＣ（Ｐｅｒｓｏｎａｌ  Ｃｏｍｐｕｔｅｒ）用の液晶ディスプレイは、当該ＰＣ以外のＰＣでも使用することができる。しかし、ＰＣ用の液晶ディスプレイといえども、ＰＣ本体がなければ画像等を表示することができなかった。
【０００３】
そこで、ＰＣ本体がなくても画像等を表示することができる液晶表示装置が開示されている（例えば、特許文献１参照。）。
【０００４】
特許文献１記載の発明を適用した液晶表示装置は、文書、動画、静止画を表示するための液晶スクリーン（液晶ディスプレイ）と、液晶スクリーンのドライバ回路と、第一の画像メモリと、コントローラ回路とを備えている。そして、この液晶表示装置は動画像を伝送可能なデジタル信号ケーブルを介してデジタル画像データを発生できる外部装置に接続可能である。さらに、上記コントローラ回路は、上記第一の画像メモリから画像データを読み出して上記液晶スクリーンに表示する第一の手段と、上記デジタル信号ケーブルを介して上記外部装置から上記液晶表示装置へ送られてくるデジタル画像データを上記液晶スクリーンに表示する第二の手段と、上記デジタル信号ケーブルを介して上記外部装置から上記液晶表示装置へ送られてくるデジタル画像データを直接上記第一の画像メモリに書き込む第三の手段とを備えている。
【０００５】
特許文献１記載の発明によれば、汎用コンピュータシステムの動画像表示装置としても、あるいは、携帯可能な単独での画像表示装置としても使用できる、活用性の高い液晶表示装置が得られる。
【０００６】
しかし、特許文献１記載の発明では、画像データを扱う電子機器であって表示装置を持たない機器に、簡単に表示機能を提供する低コストで小型な液晶表示装置を提供することができなかった。
【特許文献１】特開平１１−２８８２５３号公報
【発明の開示】
【発明が解決しようとする課題】
【０００７】
本発明は、かかる従来例の有する不都合を改善し、特に、画像データを扱う電子機器であって表示装置を持たない機器に、簡単に表示機能を提供する低コストで小型な液晶表示装置を提供することを課題とする。
【課題を解決するための手段】
【０００８】
上記課題を解決するため、本発明では次のような構成を採っている。
【０００９】
請求項１記載の発明は、画像データを表示する液晶ディスプレイと、該液晶ディスプレイを駆動するドライバ回路と、上記液晶ディスプレイに表示する画像ファイルを記憶する第一の記憶手段と、外部装置が上記第一の記憶手段にアクセスすることを可能とする外部インターフェースと、コントローラ回路と、を少なくとも備えた液晶表示装置である。そして、上記コントローラ回路が、外部インターフェースを介して外部装置から画像ファイルを受付けて上記第一の記憶手段にただ一つのみ記憶すると共に、上記第一の記憶手段に記憶されたただ一つの画像ファイルを読み出して上記ドライバ回路に入力する。続いて、上記ドライバ回路が、上記コントローラ回路から入力された画像ファイルのデータに基づいて液晶ディスプレイに画像を表示する。
【００１０】
請求項２記載の発明は、請求項１記載の液晶表示装置であって、さらに、上記外部インターフェースが、上記記憶手段にアクセス可能な外部装置を特定しない汎用インターフェースとなっている。
【００１１】
請求項３記載の発明は、請求項２記載の液晶表示装置であって、さらに、上記汎用インターフェースが、ユニバーサル・シリアル・バス（USB）となっている。
【００１２】
請求項４記載の発明は、請求項１記載の発明であって、さらに、上記コントローラ回路が、上記第一の記憶手段に記憶する又は記憶した画像ファイルのファイル名を固定値に設定する。
【００１３】
請求項５記載の発明は、請求項１記載の液晶表示装置であって、上記液晶ディスプレイ、上記ドライバ回路、上記第一の記憶手段、上記外部インターフェース、及び上記コントローラ回路に電源を供給する電池を備えている。
【００１４】
請求項６記載の発明は、画像データを表示する液晶ディスプレイと、該液晶ディスプレイを駆動するドライバ回路と、コントローラ回路と、前記液晶ディスプレイに表示する画像ファイルを記憶する第一の記憶手段と、第二の記憶手段と、外部装置が前記第一の記憶手段及び前記第二の記憶手段にアクセスすることを可能とする外部インターフェースと、を少なくとも備えた液晶表示装置である。そして、当該液晶表示装置は、前記第二の記憶手段に、前記コントローラ回路の動作内容を識別する動作識別情報を格納した設定情報ファイルを予め記憶している。前記コントローラ回路は、外部インターフェースを介して外部装置から前記設定情報ファイルを受付けて前記第二の記憶手段に記憶する、又は外部インターフェースを介して外部装置に前記設定情報ファイルを書き換えさせるステップと、前記第二の記憶手段に記憶された設定情報ファイルを参照し、動作識別情報を読み出すステップと、当該読み出した動作識別情報に基づいて、前記液晶ディスプレイ、前記ドライバ回路、前記第一の記憶手段、前記第二の記憶手段、又は、前記外部インターフェースのハードウェア制御を行うステップと、前記読み出した動作識別情報に基づいて、外部インターフェースを介して外部装置から画像ファイルを受付けて前記第一の記憶手段にただ一つのみ記憶するステップと、前記読み出した動作識別情報に基づいて、前記第一の記憶手段に記憶されたただ一つの画像ファイルを読み出して前記ドライバ回路に入力するステップと、を実行する。続いて、前記ドライバ回路は、前記コントローラ回路から入力された画像ファイルのデータに基づいて液晶ディスプレイに画像を表示する。
【００１５】
請求項７記載の発明は、請求項６記載の液晶表示装置において、上記第一の記憶手段と、上記第二の記憶手段とが同一となっている。
【００１６】
請求項８記載の発明は、画像データを表示する液晶ディスプレイと、該液晶ディスプレイを駆動するドライバ回路と、コントローラ回路と、前記液晶ディスプレイに表示する画像ファイルを記憶する第一の記憶手段と、液晶表示装置に着脱可能な第二の記憶手段と、外部装置が前記第一の記憶手段にアクセスすることを可能とする外部インターフェースと、を少なくとも備えた液晶表示装置である。そして、前記第二の記憶手段に、前記コントローラ回路の動作内容を識別する動作識別情報を格納した設定情報ファイルを予め記憶している。前記コントローラ回路は、前記第二の記憶手段に記憶された設定情報ファイルを参照し、動作識別情報を読み出すステップと、当該読み出した動作識別情報に基づいて、前記液晶ディスプレイ、前記ドライバ回路、前記第一の記憶手段、前記第二の記憶手段、又は、前記外部インターフェースのハードウェア制御を行うステップと、前記読み出した動作識別情報に基づいて、外部インターフェースを介して外部装置から画像ファイルを受付けて前記第一の記憶手段にただ一つのみ記憶するステップと、前記読み出した動作識別情報に基づいて、前記第一の記憶手段に記憶されたただ一つの画像ファイルを読み出して前記ドライバ回路に入力するステップと、を実行する。続いて、前記ドライバ回路は、前記コントローラ回路から入力された画像ファイルのデータに基づいて液晶ディスプレイに画像を表示する。
【００１７】
請求項９記載の発明は、請求項８記載の液晶表示装置において、前記第一の記憶手段と、前記第二の記憶手段とが同一であり、かつ、液晶表示装置に着脱可能となっている。
【発明の効果】
【００１８】
コントローラ回路が、外部インターフェースを介して外部装置から画像ファイル受付けて第一の記憶手段にただ一つのみ記憶すると共に、当該第一の記憶手段に記憶されたただ一つの画像ファイルを読み出してドライバ回路に入力するので、
【００１９】
画像データを扱う電子機器であって表示装置を持たない機器に、簡単に表示機能を提供する低コストで小型な液晶表示装置を提供することができる。
【発明を実施するための最良の形態】
【００２０】
以下、図面を参照しながら、本発明の実施形態について説明する。
【００２１】
〔実施形態１〕
【００２２】
図１は、本実施形態に係る液晶表示装置の構成を示すブロック図である。当該液晶表示装置は、画像データを表示する液晶ディスプレイ７と、該液晶ディスプレイ７を駆動するドライバ回路としての液晶コントローラ部６と、前記液晶ディスプレイ７に表示する画像ファイルをただ一つのみ記憶する第一の記憶手段としてのメモリ部４と、外部装置がメモリ部４にアクセスすることを可能とする外部インターフェース５と、コントローラ回路９と、電源部８とを備えている。但し、図１では、外部インターフェース５を外部Ｉ／Ｆと表記している。
【００２３】
ここで、外部装置は、液晶表示装置と同様の外部インターフェース５と、所定の制御ソフトウェアとを備えていることを前提とする。外部装置としては、例えば、イメージスキャナー、電子黒板等が該当する。外部装置は、上記制御ソフトウェアを実行することによって、外部インターフェース５を介して液晶表示装置のメモリ部４にアクセスできるようになっている。
【００２４】
続いて、コントローラ回路９の構成について詳細に説明する。コントローラ回路９は、処理手段としてのＣＰＵ１と、記憶手段としてのＲＯＭ２及びＲＡＭ３と、を備えている。ＣＰＵ１は、ＲＯＭ２に記憶された所定のプログラムをＲＡＭ３に読み出して実行することにより、外部インターフェース５の制御と、メモリ部４に記憶されている画像ファイルを単純に液晶ディスプレイ７に表示する制御とを行う。したがって、メモリ部４に記憶されている画像ファイルの管理は、実質的に外部装置が行うことになる。
【００２５】
次に、液晶表示装置の動作について説明する。
【００２６】
コントローラ回路９は、外部インターフェース５を介して、外部装置から画像ファイルを受付けてメモリ部４に記憶する。メモリ部４に既に画像ファイルが記憶されている場合には、コントローラ回路９は、当該記憶されている画像ファイルを削除した後、受付けた画像ファイルをメモリ部４に記憶する。これにより、メモリ部４にはただ一つの画像ファイルが記憶されることになる。続いて、コントローラ回路９は、メモリ部４に記憶されたただ一つの画像ファイルを読み出して、液晶コントローラ部６に入力する。
【００２７】
そして、液晶コントローラ部６は、当該入力された画像ファイルのデータに基づいて液晶ディスプレイ７に画像を表示する。
【００２８】
これによると、コントローラ回路９は、制御において使用者に判断を要求するルーチンを持たなくてもよい。このため、液晶表示装置に操作部を設ける必要がない。したがって、非常にシンプルで使いやすく、また低コストな液晶表示装置を提供することができる。
【００２９】
〔実施形態２〕
【００３０】
本実施形態では、実施形態１の外部インターフェース５として、メモリ部４にアクセス可能な外部装置を特定しない汎用インターフェースを採用している。汎用インターフェースとしては、ＳＣＳＩ（Ｓｍａｌｌ  Ｃｏｍｐｕｔｅｒ  Ｓｙｓｔｅｍ  Ｉｎｔｅｒｆａｃｅ）、ＵＳＢ（Ｕｎｉｖｅｒｓａｌ  Ｓｅｒｉａｌ  Ｂｕｓ）等が該当する。
【００３１】
これによると、液晶表示装置は、汎用インターフェースを備えた様々な外部装置と接続可能になる。このため、使用者は、この液晶表示装置一台で様々な外部装置の画像データを表示することができる。したがって、使用者にとって非常に経済的な液晶表示装置を提供することができる。
【００３２】
〔実施形態３〕
【００３３】
本実施形態では、実施形態２の汎用インターフェースとして、ＵＳＢを採用している。ＵＳＢは、現在著しく普及しているため、様々な技術情報が公開されており、その技術は飛躍的に進歩しつつある。
【００３４】
これによると、開発効率の向上、低コスト化が容易であるばかりでなく、電源供給が可能なので電源部８を設ける必要がない。したがって、低コストで小型な液晶表示装置を提供することができる。また、外部装置が、ＭＳ−ＷＩＮＤＯＷＳ（登録商標）等のオペレーティングシステムを使用している場合には、ＵＳＢ接続によって液晶表示装置のメモリ部４を外部記憶ドライブとして認識させることが可能である。したがって、メモリ部４に記憶されている画像ファイルを書き換えることが容易となる。
【００３５】
〔実施形態４〕
【００３６】
本実施形態では、実施形態１の液晶表示装置において、さらに、コントローラ回路９が、メモリ部４に記憶する又は記憶した画像ファイルのファイル名を固定値にするようになっている。以下、その構成及び動作について具体的に説明する。
【００３７】
コントローラ回路９のＲＯＭ２には、予め画像ファイルのファイル名として固定値が記憶されている。コントローラ回路９は、外部インターフェース５を介して、外部装置から画像ファイルを受付けた場合に、ＲＯＭ２から画像ファイルのファイル名としての固定値を読み出す。そして、コントローラ回路９は、受付けた画像ファイルを上記読み出した固定値でメモリ部４に記憶する。
【００３８】
続いて、コントローラ回路９は、メモリ部４から上記読み出した固定値と一致する画像ファイルを読み出して、液晶コントローラ部６に入力する。
【００３９】
そして、液晶コントローラ部６は、当該入力された画像ファイルのデータに基づいて液晶ディスプレイ７に画像を表示する。
【００４０】
これによると、コントローラ回路９は、固定値の画像ファイルのファイル名で検索することにより、画像ファイルを特定することができる。このため、メモリ部４に画像ファイル以外のデータが記憶されている場合に、コントローラ回路９がファイルを特定するルーチン等を簡素化でき、コントローラ回路９の開発が容易になる。したがって、低コストな液晶表示装置を提供することができる。
【００４１】
〔実施形態５〕
【００４２】
本実施形態では、実施形態１の電源部８として、電池を採用している。
【００４３】
これによると、コンセント等の外部電源又はＵＳＢ等の外部インターフェース５から電源を供給する必要がない。したがって、携帯性に優れた液晶表示装置を提供することができる。
【００４４】
〔実施形態６〕
【００４５】
図２は、本実施形態に係る液晶表示装置の構成を示すブロック図である。当該液晶表示装置は、画像データを表示する液晶ディスプレイ７と、該液晶ディスプレイ７を駆動するドライバ回路としての液晶コントローラ部６と、コントローラ回路９と、前記液晶ディスプレイ７に表示する画像ファイルをただ一つのみ記憶する第一の記憶手段としてのメモリ部４と、第二の記憶手段としての第二のメモリ部１０と、外部装置がメモリ部４及び第二のメモリ部１０にアクセスすることを可能とする外部インターフェース５と、電源部８とを備えている。但し、図２では、外部インターフェース５を外部Ｉ／Ｆと表記している。
【００４６】
また、第二のメモリ部１０には、コントローラ回路の動作内容を識別する動作識別情報を格納した設定情報ファイルが記憶されている。動作識別情報としては、例えば、液晶ディスプレイの輝度を所定の値にする等のハードウェア制御に関する動作、又は画像ファイルのファイル名を固定値にする等のソフトウェア制御に関する動作が該当する。
【００４７】
ここで、外部装置は、液晶表示装置と同様の外部インターフェース５と、所定の制御ソフトウェアとを備えていることを前提とする。外部装置としては、例えば、イメージスキャナー、電子黒板等が該当する。外部装置は、上記制御ソフトウェアを実行することによって、外部インターフェース５を介して液晶表示装置のメモリ部４及び第二のメモリ部１０にアクセスできるようになっている。
【００４８】
続いて、コントローラ回路９の構成について詳細に説明する。コントローラ回路９は、処理手段としてのＣＰＵ１と、記憶手段としてのＲＯＭ２及びＲＡＭ３と、を備えている。ＣＰＵ１は、ＲＯＭ２に記憶された所定のプログラムをＲＡＭ３に読み出して実行することにより、外部インターフェース５の制御と、メモリ部４に記憶されている画像ファイルを単純に液晶ディスプレイ７に表示する制御とを行う。したがって、メモリ部４に記憶されている画像ファイルの管理は、実質的に外部装置が行うことになる。
【００４９】
次に、液晶表示装置の動作について説明する。
【００５０】
コントローラ回路９は、外部インターフェース５を介して、外部装置から設定情報ファイルを受付けて、第二のメモリ部１０に記憶する、又は外部インターフェース５を介して、外部装置に設定情報ファイルを書き換えさせるようになっている。そして、コントローラ回路９は、第二のメモリ部１０に記憶された設定情報ファイルを参照して、動作識別情報を読み出す。
【００５１】
次に、コントローラ回路９は、上記読み出した動作識別情報に基づいて、液晶ディスプレイ７、液晶コントローラ部６、メモリ部４、第二のメモリ部１０、又は外部インターフェース５のハードウェア制御を行う。
【００５２】
続いて、コントローラ回路９は、上記読み出した動作識別情報に基づいて、外部インターフェース５を介して、外部装置から画像ファイルを受付けてメモリ部４に記憶する。メモリ部４に既に画像ファイルが記憶されている場合には、コントローラ回路９は、当該記憶されている画像ファイルを削除した後、受付けた画像ファイルをメモリ部４に記憶する。これにより、メモリ部４にはただ一つの画像ファイルが記憶されることになる。続いて、コントローラ回路９は、上記読み出した動作識別情報に基づいて、メモリ部４に記憶されたただ一つの画像ファイルを読み出して、液晶コントローラ部６に入力する。
【００５３】
そして、液晶コントローラ部６は、当該入力された画像ファイルのデータに基づいて液晶ディスプレイ７に画像を表示する。
【００５４】
これによると、液晶表示装置は、コントローラ回路の動作を指示する操作部を持たなくても、コントローラ回路の動作内容を指定することができる。したがって、低コストな液晶表示装置を提供することができる。
【００５５】
〔実施形態７〕
【００５６】
本実施形態では、実施形態６において、メモリ部４と、第二のメモリ部１０とが同一である構成を採用している。
【００５７】
これによると、液晶表示装置の記憶手段として使用するデバイスの数を少なくすることができる。したがって、低コストで小型な液晶表示装置を提供することができる。
【００５８】
〔実施形態８〕
【００５９】
本実施形態では、液晶表示装置が、画像データを表示する液晶ディスプレイ７と、該液晶ディスプレイ７を駆動するドライバ回路としての液晶コントローラ部６と、コントローラ回路９と、前記液晶ディスプレイ７に表示する画像ファイルをただ一つのみ記憶する第一の記憶手段としてのメモリ部４と、液晶表示装置に着脱可能な第二の記憶手段としての第二のメモリ部１０と、外部装置がメモリ部４にアクセスすることを可能とする外部インターフェース５と、電源部８とを備えている。第二のメモリ部１０としては、例えば、メモリカードが該当する。
【００６０】
また、第二のメモリ部１０には、コントローラ回路の動作内容を識別する動作識別情報を格納した設定情報ファイルが記憶されている。動作識別情報としては、例えば、液晶ディスプレイの輝度を所定の値にする等のハードウェア制御に関する動作、又は画像ファイルのファイル名を固定値にする等のソフトウェア制御に関する動作が該当する。さらに、第二のメモリ部１０は、液晶表示装置から取り外してＰＣ等の外部装置に装着することが可能となっている。このため、ＰＣ等の外部装置により、設定情報ファイルを書き換えることができる。
【００６１】
ここで、外部装置は、液晶表示装置と同様の外部インターフェース５と、所定の制御ソフトウェアとを備えていることを前提とする。外部装置としては、例えば、イメージスキャナー、電子黒板等が該当する。外部装置は、上記制御ソフトウェアを実行することによって、外部インターフェース５を介して液晶表示装置のメモリ部４にアクセスできるようになっている。
【００６２】
続いて、コントローラ回路９の構成について詳細に説明する。コントローラ回路９は、処理手段としてのＣＰＵ１と、記憶手段としてのＲＯＭ２及びＲＡＭ３と、を備えている。ＣＰＵ１は、ＲＯＭ２に記憶された所定のプログラムをＲＡＭ３に読み出して実行することにより、外部インターフェース５の制御と、メモリ部４に記憶されている画像ファイルを単純に液晶ディスプレイ７に表示する制御とを行う。したがって、メモリ部４に記憶されている画像ファイルの管理は、実質的に外部装置が行うことになる。
【００６３】
次に、液晶表示装置の動作について説明する。
【００６４】
コントローラ回路９は、第二のメモリ部１０に記憶された設定情報ファイルを参照して、動作識別情報を読み出す。そして、コントローラ回路９は、上記読み出した動作識別情報に基づいて、液晶ディスプレイ７、液晶コントローラ部６、メモリ部４、第二のメモリ部と、又は外部インターフェース５のハードウェア制御を行う。
【００６５】
続いて、コントローラ回路９は、上記読み出した動作識別情報に基づいて、外部インターフェース５を介して、外部装置から画像ファイルを受付けてメモリ部４に記憶する。メモリ部４に既に画像ファイルが記憶されている場合には、コントローラ回路９は、当該記憶されている画像ファイルを削除した後、受付けた画像ファイルをメモリ部４に記憶する。これにより、メモリ部４にはただ一つの画像ファイルが記憶されることになる。続いて、コントローラ回路９は、上記読み出した動作識別情報に基づいて、メモリ部４に記憶されたただ一つの画像ファイルを読み出して、液晶コントローラ部６に入力する。
【００６６】
そして、液晶コントローラ部６は、当該入力された画像ファイルのデータに基づいて液晶ディスプレイ７に画像を表示する。
【００６７】
これによると、液晶表示装置は、コントローラ回路の動作を指示する操作部を持たなくても、コントローラ回路の動作内容を指定することができる。したがって、低コストな液晶表示装置を提供することができる。
【００６８】
〔実施形態９〕
【００６９】
本実施形態では、実施形態８において、メモリ部と、第二のメモリ部とが同一であり、かつ、液晶表示装置に着脱可能となっている。
【００７０】
これによると、液晶表示装置の記憶手段として使用するデバイスの数を少なくすることができると共に、液晶表示装置は、コントローラ回路の動作を指示する操作部を持たなくても、コントローラ回路の動作内容を指定することができる。したがって、低コストで小型な液晶表示装置を提供することができる。
【００７１】
以上の実施形態１乃至実施形態９においては、第一の記憶手段としてのメモリ部４に画像ファイルを記憶しているが、コントローラ回路９のＲＯＭ２にフラッシュメモリ等の不揮発性メモリを採用し、当該ＲＯＭ２に画像ファイルを記憶するようにしてもよい。
【００７２】
〔使用例〕
【００７３】
続いて、外部装置がネットワーク配信可能なイメージスキャナ（以下、ネットワークスキャナという。）であり、外部インターフェース５がＵＳＢである場合における液晶表示装置の使用例について説明する。ここで、液晶表示装置の電源は、ＵＳＢを介してネットワークスキャナから供給されているものとする。
【００７４】
使用者は、ネットワークスキャナと、液晶表示装置とをＵＳＢケーブルで接続する。ＵＳＢケーブルでネットワークスキャナと、液晶表示装置とが接続されると、ネットワークスキャナは、液晶表示装置が接続されたことを自動で検知し、制御ソフトウェアとしてのＵＳＢのドライバプログラムを実行する。そして、ネットワークスキャナは、次のようにしてスキャナ部で読取った画像データを液晶表示装置に表示する。
【００７５】
ネットワークスキャナは、操作部からの要求にしたがって、スキャナ部から原稿を読取る。続いて、ネットワークスキャナは、当該読取った画像データから画像ファイルを作成し、当該作成した画像ファイルを、ＵＳＢケーブルを介して液晶表示装置に転送する。
【００７６】
液晶表示装置は、前述している方法により、ネットワークスキャナから受付けた画像ファイルを液晶ディスプレイに表示する。使用者は、液晶ディスプレイに表示された画像が所望する状態であることを確認した後、ネットワークスキャナの機能により、目的の配信先を指定してその画像を配信する。
【００７７】
以上のようにして、イメージスキャナや電子黒板等、画像データを扱う電子機器であって表示装置を持たない機器に、簡単に表示機能を提供する低コストで小型な液晶表示装置を提供することができる。
【図面の簡単な説明】
【００７８】
【図１】実施形態１における液晶表示装置の構成を示すブロック図である。
【図２】実施形態６における液晶表示装置の構成を示すブロック図である。
【符号の説明】
【００７９】
１  ＣＰＵ（コントローラ回路の処理手段）
２  ＲＯＭ（コントローラ回路の記憶手段）
３  ＲＡＭ（コントローラ回路の記憶手段）
４  メモリ部（第一の記憶手段）
５  外部インターフェース
６  液晶コントローラ部（ドライバ回路）
７  液晶ディスプレイ
８  電源部
９  コントローラ回路
１０  第二のメモリ部（第二の記憶手段）
【図１】
2006065154.tif 000003
【図２】
2006065154.tif 000004